(57)【特許請求の範囲】
【請求項１】
基板に実装され、ケーブルと基板とを接続する電気接続用端子において、
前記基板に接続されるとともに、両端が開口された中空状に形成され、一端側の開口部からケーブルが挿入される端子本体と、
端子本体と一体に設けられ、一端側を基点に弾性変形可能な弾性片部と、
弾性片部の一端側に弾性片部の一部を切り起こすことによって形成され、端子本体内に挿入されたケーブルに圧接する接触部と、
弾性片部の他端側に端子本体の他端側の開口部から外部に延出するように設けられ、所定方向に押圧することにより接触部をケーブルと離れる方向に変位させる操作部とを備え、
端子本体、弾性片部、接触部及び操作部を導電性の金属によって一体に形成し、
端子本体の幅方向両側に、端子本体内に挿入されたケーブルを端子本体の幅方向中央側に案内する一対のガイド部を設けた
ことを特徴とする電気接続用端子。
【請求項２】
平板状に打ち抜き加工された金属板を曲げ加工することにより形成した
ことを特徴とする請求項１記載の電気接続用端子。
【請求項３】
前記基板に接続される複数の基板接続部を端子本体の一端側と他端側にそれぞれ一体に設け、
操作部を、基板に向かって押圧することにより接触部を接続対象物と離れる方向に変位させるように形成するとともに、端子本体の一端側の基板接続部と他端側の基板接続部との間に配置した
ことを特徴とする請求項１または２記載の電気接続用端子。
【請求項４】
前記端子本体の上面に、部品搬送用の吸着パッドが吸着可能な吸着面を設けた
ことを特徴とする請求項１、２または３記載の電気接続用端子。
【発明の詳細な説明】
【技術分野】
【０００１】
本発明は、例えば各種電気機器の回路基板に実装され、ケーブル等の接続対象物と接続する電気接続用端子に関するものである。
【背景技術】
【０００２】
従来、ケーブルと基板とを接続するコネクタとしては、基板に接続される端子と、端子を収容するハウジングと、ハウジングに設けられた操作部とを備え、ケーブルをハウジングに挿入すると、端子がケーブルに圧接してケーブルと端子が接続され、ハウジングの操作部を押圧すると、操作部によって端子がケーブルから離れる方向に弾性変形し、ケーブルと端子との接続が解除されるようにしたものが知られている（例えば、特許文献１参照）。
【先行技術文献】
【特許文献】
【０００３】
【特許文献１】特開２００３−１７１５７号公報
【発明の概要】
【発明が解決しようとする課題】
【０００４】
前記コネクタでは、ケーブルと端子との接続を解除するための操作部がハウジングに設けられているが、ハウジング及び操作部は端子とは別部品によって形成されているため、部品点数が多くなり、製造コストが高くつくという問題点があった。
【０００５】
本発明は前記問題点に鑑みてなされたものであり、その目的とするところは、部品点数を少なくすることのできる電気接続用端子を提供することにある。
【課題を解決するための手段】
【０００６】
本発明は前記目的を達成するために、基板に実装され、ケーブルと基板とを接続する電気接続用端子において、前記基板に接続されるとともに、両端が開口された中空状に形成され、一端側の開口部からケーブルが挿入される端子本体と、端子本体と一体に設けられ、一端側を基点に弾性変形可能な弾性片部と、弾性片部の一端側に弾性片部の一部を切り起こすことによって形成され、端子本体内に挿入されたケーブルに圧接する接触部と、弾性片部の他端側に端子本体の他端側の開口部から外部に延出するように設けられ、所定方向に押圧することにより接触部をケーブルと離れる方向に変位させる操作部とを備え、端子本体、弾性片部、接触部及び操作部を導電性の金属によって一体に形成し、端子本体の幅方向両側に、端子本体内に挿入されたケーブルを端子本体の幅方向中央側に案内する一対のガイド部を設けている。
【０００７】
これにより、端子本体、接触部及び操作部が導電性の金属によって一体に形成されることから、端子単体で接続対象物との接続及び接続解除を行うことが可能となる。また、ケーブルを端子本体内に挿入する際、ケーブルが一対のガイド部によって端子本体の幅方向中央側に案内される。
【発明の効果】
【０００８】
本発明によれば、端子単体で接続対象物との接続及び接続解除を行うことができるので、従来のように操作部が設けられたハウジングを別部品として設ける必要がなく、部品点数を少なくすることができる。これにより、生産性の向上及び低コスト化を図ることができる。
【図面の簡単な説明】
【０００９】
【図１】本発明の一実施形態を示す端子の正面側斜視図
【図２】端子の背面側斜視図
【図３】端子の正面図
【図４】端子の背面図
【図５】端子の平面図
【図６】端子の底面図
【図７】端子の左側面図
【図８】端子の右側面図
【図９】Ａ−Ａ線矢視方向断面図
【図１０】Ｂ−Ｂ線矢視方向断面図
【図１１】ケーブルとの接続状態を示す端子の側面断面図
【図１２】ケーブルとの接続解除工程を示す端子の側面断面図
【発明を実施するための形態】
【００１０】
図１乃至図１２は本発明の一実施形態を示すもので、接続対象物としてのケーブル１を基板２に接続するための電気接続用端子を示すものである。
【００１１】
本実施形態の電気接続用端子は、基板に接続される端子本体１０と、端子本体１０から延出する弾性片部２０と、端子本体１０内に挿入されたケーブル１に下方から圧接する第１の接触部３０と、端子本体１０内に挿入されたケーブル１に上方から圧接する第２の接触部４０と、端子本体１０内に挿入されたケーブル１を幅方向中央側に案内する一対のガイド部５０と、ケーブル１との接続を解除するための操作部６０と、端子本体１０の後方に配置される第１の基板接続部７０と、端子本体１０の幅方向一方に配置される第２の基板接続部８０と、端子本体１０の幅方向他方に配置される第３の基板接続部９０とを備え、端子本体１０、弾性片部２０、第１及び第２の接触部３０，４０、各ガイド部５０、操作部６０及び第１乃至第３の基板接続部７０，８０，９０は、平板状に打ち抜き加工された導電性の金属板を曲げ加工することにより一体に形成されている。
【００１２】
端子本体１０は、両端（前端及び後端）を開口した中空状に形成され、一端側（前端側）の開口部からケーブル１が挿入されるようになっている。端子本体１０は、幅方向一方の側面部１１、上面部１２、幅方向他方の側面部１３及び底面部１４からなり、これらの間部分を折り曲げるとともに、一方の側面部１１の下端側と底面部１４の幅方向一端側とを係合することにより、角筒状に形成されている。この場合、一方の側面部１１の下部に設けられた前後一対の孔１１ａに、底面部１４の端部に設けられた前後一対の突部１４ａをそれぞれ挿入することにより、一方の側面部１１の下端側と底面部１４の幅方向一端側とが係合している。また、端子本体１０の上面には、部品搬送用の吸着パッド（図示せず）が吸着可能な吸着面１５が前後二箇所に設けられている。
【００１３】
弾性片部２０は、端子本体１０の底面部１４よりも小さい幅に形成され、一端側が底面部１４の前端からＵ字状に屈曲して底面部１４の上方を後方に向かって延びるとともに、後端側が端子本体１０の他端側（後端側）の開口部から外部に延出するように形成されている。また、弾性片部２０は、後端側の位置が前端側よりも高くなるように形成されている。
【００１４】
第１の接触部３０は、弾性片部２０の前端側（端子本体１０の前後方向中央側）に設けられ、弾性片部２０の一部を上方に切り起こすことによって形成されている。この場合、第１の接触部３０は、前端側から後端側に向かって斜め上方に延びるように形成されている。
【００１５】
第２の接触部４０は、端子本体１０の上面部１２に打ち抜き加工された部分を下方に曲げ起こすことによって形成され、前端側から後端側に向かって斜め下方に延びるように形成されている。また、第２の接触部４０は、前端側から後端側に向かって幅が徐々に小さくなるように形成されている。
【００１６】
各ガイド部５０は、端子本体１０の各側面部１１，１３に打ち抜き加工された部分をそれぞれ端子本体１０の幅方向内側に曲げ起こすことによって形成され、前端側から後端側に向かって延びるように形成されている。各ガイド部５０は、端子本体１０から後方に向かって幅方向内側に斜めに延びる第１の傾斜部５１と、第１の傾斜部５１の後端から後方に向かって各側面部１１，１３と平行に延びる真直部５２と、真直部５２の後端から後方に向かって幅方向外側に斜めに延びる第２の傾斜部５３とから形成されている。
【００１７】
操作部６０は、弾性片部２０の後端側（端子本体１０の後端から外部に延出した部分）に形成され、上方から下方に向かって押圧することにより、弾性片部２０を弾性変形させながら第１の接触部３０を下方に変位させるようになっている。
【００１８】
第１の基板接続部７０は、端子本体１０の底面部１４から端子本体７０の後方に向かって延設され、操作部６０と上下方向に対向するように形成されている。第１の基板接続部７０は、端子本体１０の底面部１４よりも小さい幅（弾性片部２０とほぼ同等の幅）に形成され、その後端側は前端側よりも位置が低くなるように形成されている。この場合、第１の基板接続部７０の後端側は、操作部６０の後端よりも後方に配置され、基板２に半田付けされるようになっている。
【００１９】
第２の基板接続部８０は、端子本体１０の一方の側面部１１から下方に向かって突設され、その下端を基板２に半田付けされるようになっている。また、第２の基板接続部８０の下端の前後方向中央側には切り欠き部８１が設けられている。
【００２０】
第３の基板接続部９０は、端子本体１０の他方の側面部１３から下方に向かって突設され、その下端を基板２に半田付けされるようになっている。また、第３の基板接続部９０の下端の前後方向中央側には切り欠き部９１が設けられている。
【００２１】
以上のように構成された電気接続用端子は、端子本体１０の上面の吸着面１５を部品搬送用の吸着パッド（図示せず）によって吸着され、基板２上に実装された後、第１乃至第３の基板接続部７０，８０，９０を基板２に半田付けされることにより基板２に実装される。
【００２２】
前記電気接続用端子に、ケーブル１を接続する場合は、ケーブル１を前方から端子本体１０内に挿入すると、ケーブル１が第１の接触部３０と第２の接触部４０との間に圧入され、図１１に示すように第１の接触部３０と第２の接触部４０によってケーブル１が挟持されることにより、ケーブル１と接続される。その際、ケーブル１が各ガイド部５０によって端子本体１０の幅方向中央側に案内される。
【００２３】
前記接続を解除する場合は、操作部６０を上方から下方に向かって押圧する。これにより、弾性片部２０が下方に弾性変形しながら第１の接触部３０がケーブル１から離れるように下方に変位し、この状態でケーブル１を端子本体１０から引き抜くことにより、ケーブルとの接続が解除される。その際、操作部６０は、端子本体１０の一端側に位置する第２及び第３の基板接続部８０，９０と、端子本体１０の他端側に位置する第１の基板接続部７０との間に配置されているので、図１２に示すように操作部６０への押圧力Ｆによって各基板接続部７０，８０，９０が基板２側から受ける反力Ｒが全て上向きの反力となり、各基板接続部７０，８０，９０の何れにおいても基板２から離れる方向への力は生ずることがない。
【００２４】
このように、本実施形態の電気接続用端子によれば、基板２に接続される端子本体１０と、端子本体１０内に挿入されたケーブル１に圧接する第１の接触部３０と、所定方向に押圧することにより第１の接触部３０をケーブル１と離れる方向に変位させる操作部６０とを備え、端子本体１０、第１の接触部３０及び操作部６０を導電性の金属によって一体に形成したので、端子単体でケーブル１との接続及び接続解除を行うことができる。これにより、従来のように操作部が設けられたハウジングを別部品として設ける必要がないので、部品点数を少なくすることができ、生産性の向上及び低コスト化を図ることができる。
【００２５】
この場合、平板状に打ち抜き加工された金属板を曲げ加工することにより形成するようにしたので、一部品からなる端子を容易に形成することができ、生産性の向上に極めて有利である。
【００２６】
また、端子本体１０を、両端を開口するとともに、一端側の開口部からケーブル１が挿入され、他端側の開口部から操作部６０が外部に延出する中空状に形成したので、上下方向及び幅方向に小型化することができ、他の部品が近接して配置される回路基板に実装する場合に極めて有利である。
【００２７】
更に、一端側を基点に弾性変形可能な弾性片部２０を端子本体１０と一体に設け、弾性片部２０の一端側に第１の接触部３０を設けるとともに、弾性片部２０の他端側に操作部６０を設けたので、操作部６０と第１の接触部３０の変位を弾性片部２０の弾性変形のみによって行うことができ、構造の簡素化を図ることができる。
【００２８】
また、操作部６０を、基板２に向かって押圧することにより第１の接触部３０をケーブル１と離れる方向に変位させるように形成するとともに、端子本体１０の一端側に位置する第２及び第３の基板接続部８０，９０と、端子本体１０の他端側に位置する第１の基板接続部７０との間に配置したので、操作部６０を基板２に向かって押圧操作した際、各基板接続部７０，８０，９０の何れにおいても基板２から離れる方向への力が生ずることがなく、操作部６０の操作によって基板２との接続強度を低下させることがないという利点がある。
【００２９】
更に、端子本体１０の上面に、部品搬送用の吸着パッドが吸着可能な吸着面１５を設けたので、吸着パッドによって基板２上に容易に載置することができ、実装作業を効率よく行うことができる。
【符号の説明】
【００３０】
１…ケーブル、２…基板、１０…端子本体、１５…吸着面、２０…弾性片部、３０…第１の接触部、４０…第２の接触部、５０…第３の接触部、６０…操作部、７０…第１の基板接続部、８０…第２の基板接続部、９０…第３の基板接続部。
【要約】
【課題】部品点数を少なくすることのできる電気接続用端子を提供する。
【解決手段】基板２に接続される端子本体１０と、端子本体１０内に挿入されたケーブル１に圧接する第１の接触部３０と、基板２に向かって押圧することにより第１の接触部３０をケーブル１と離れる方向に変位させる操作部６０とを備え、端子本体１０、第１の接触部３０及び操作部６０を導電性の金属によって一体に形成したので、端子単体でケーブル１との接続及び接続解除を行うことができる。これにより、従来のように操作部が設けられたハウジングを別部品として設ける必要がないので、部品点数を少なくすることができ、生産性の向上及び低コスト化を図ることができる。
【選択図】図１２【図１】
0005456925.tif 000002
【図２】
0005456925.tif 000003
【図３】
0005456925.tif 000004
【図４】
0005456925.tif 000005
【図５】
0005456925.tif 000006
【図６】
0005456925.tif 000007
【図７】
0005456925.tif 000008
【図８】
0005456925.tif 000009
【図９】
0005456925.tif 000010
【図１０】
0005456925.tif 000011
【図１１】
0005456925.tif 000012
【図１２】
0005456925.tif 000013